(57)【要約】【課題】通信システムの通信ターミナルに対して通信データを提供し、この通信ターミナルの利用者に対して、豊富な発着信画像データを提供する通信方法を提供する。【解決手段】本発明は一種の通信方法を開示し、一つの通信システムの第一通信ターミナルに対して通信データを提供する。上記の通信データは、上記の通信システムの第二通信ターミナルの利用者の個性化情報を表示する発着信画像データである。上記の発着信画像データを事前に発着信画像データ提供プラットフォームに保存している。この方法には、上記の第一通信ターミナルは、上記の発着信画像データ提供プラットフォームに対して、上記の発着信画像データを獲得するリクエストを送信する。上記の第一通信ターミナルは、上記の発着信画像データ提供プラットフォームから上記のリクエストに対するレスポンスとして上記の発着信画像データを受信するステップを含む。【選択図】図２
2008193695.tif 000002
【特許請求の範囲】
【請求項１】
一つの通信システムの第一通信ターミナルに対して通信データを提供する通信方法において、上記の通信データは上記の通信システムの第二通信ターミナルの利用者の個性化情報を示す発着信画像データであり、上記の発着信画像データを事前に発着信画像データの提供プラットフォームに保存している通信方法であって、
上記の第一通信ターミナルが、上記の発着信画像データ提供プラットフォームに対して、上記の発着信画像データを獲得するリクエストを送信する送信ステップと、
上記の第一通信ターミナルが、上記の発着信画像データ提供プラットフォームから、上記のリクエストに対するレスポンスとして上記の発着信画像データを受信する受信ステップを含むことを特徴する通信方法。
【請求項２】
上記の第一通信ターミナルが、上記の発着信画像データを表示するステップを含む請求項１記載の通信方法。
【請求項３】
上記の送信ステップの前に、上記の第一通信ターミナルは、コールイベントが発生したかをチェックし、コールイベントの発生をチェックした時、上記の送信ステップを実行するステップを含む請求項１記載の通信方法。
【請求項４】
上記のコールイベントは、コールインイベント、コールアウトイベント、接続イベント、ハングアップイベント、コールアウトレディ・イベント及び利用者照会イベントの何れかである請求項３記載の通信方法。
【請求項５】
上記のリクエストは、少なくとも上記の第一通信ターミナルのアドレス情報及び上記の第二通信ターミナルのアドレス情報を含む請求項１記載の通信方法。
【請求項６】
上記のアドレス情報は、上記の第一或いは第二通信ターミナルに割り当てられる唯一の識別コードである請求項５記載の通信方法。
【請求項７】
上記の受信ステップの後、上記の第一通信ターミナルが受信した上記の発着信画像データを保存するステップをさらに含む請求項１記載の通信方法。
【請求項８】
上記の発着信画像データ提供プラットフォームから上記の発着信画像データを受信できない時、上記の第一通信ターミナルは、これまで保存した発着信画像データを表示するステップをさらに含む請求項７記載の通信方法。
【請求項９】
上記の受信された発着信画像データと上記の第一通信ターミナルに保存されたこれまでの発着信画像データが一致しない時、受信した発着信画像データを利用してこれまで保存した発着信画像データを更新するステップをさらに含む請求項７記載の通信方法。
【請求項１０】
第一通信チャネルを通じて上記の送信ステップと上記の受信ステップを実行し、上記の第一通信チャネルはパケット交換チャネルである請求項１記載の通信方法。
【請求項１１】
上記のパケット交換チャネルは、有線或いは無線パケットチャネルの何れかとする請求項１０記載の通信方法。
【請求項１２】
第一通信チャネルを通じて、上記の送信ステップ及び上記の受信ステップを実行し、上記の第一通信チャネルは回路交換チャネルである請求項１記載の通信方法。
【請求項１３】
上記の第一通信ターミナルは発信側設備であり、上記の第二通信ターミナルはエンド側設備であり、上記の第一通信ターミナルは、第二通信チャネルを通じて、上記の第二通信ターミナルに対して、コールを出し、リクエストを作成する時、上記の送信ステップを実行する請求項１０または請求項１２に記載の通信方法。
【請求項１４】
上記の第二通信チャネルは、回路交換チャネルとパケット交換チャネルの何れかである請求項１３記載の通信方法。
【請求項１５】
上記の第二通信チャネルは、上記の第一通信チャネルと同じチャネルである請求項１３記載の通信方法。
【請求項１６】
上記の第二通信チャネルは、上記の第一通信チャネルと異なるチャネルである請求項１３記載の通信方法。
【請求項１７】
上記の第一通信ターミナルはエンド側設備で、上記の第二通信ターミナルは発信側設備であり、上記の第一通信ターミナルは、第二通信チャネルを通じて、第二通信ターミナルからのコールを受信し、リクエストを作成する時、上記の送信ステップを実行する請求項１０または請求項１２に記載の通信方法。
【請求項１８】
上記の第二通信チャネルは、回路交換チャネルとパケット交換チャネルの何れかである請求項１７記載の通信方法。
【請求項１９】
上記の第二通信チャネルは、上記の第一通信チャネルと同じチャネルである請求項１７記載の通信方法。
【請求項２０】
上記の第二通信チャネルは、上記の第一通信チャネルと異なるチャネルである請求項１７記載の通信方法。
【請求項２１】
上記の発着信画像データは、コール状態によって違う請求項１記載の通信方法。
【請求項２２】
上記の発着信画像データは、時間帯によって違う請求項１記載の通信方法。
【請求項２３】
上記の発着信画像データは、通信ターミナルによって違う請求項１記載の通信方法。
【請求項２４】
上記の発着信画像データには、テキストデータ、画像データ、オーディオデータ、flashデータ、ビデオデータ、リンクアドレスデータ及びマルチメディアデータの1つ或いは複数の組合を含む請求項１記載の通信方法。
【請求項２５】
上記の個性化情報には、第二通信ターミナルの利用者の身分情報を含む請求項１記載の通信方法。
【請求項２６】
上記の身分情報には、氏名、性別、電話番号、家庭アドレス、会社名、肩書き、郵便番号、MSN、メールアドレス、個人の署名の1つ或いは複数のものを含む請求項２５記載の通信方法。
【請求項２７】
一つの通信システムの第一通信ターミナルに対して、通信データを提供する通信方法において、上記の通信データは上記の通信システムの第二通信ターミナルの利用者の個性化情報を表示するための発着信画像データであり、上記の発着信画像データを事前に発着信画像データ提供プラットフォームに保存している通信方法であって、
上記の第一通信ターミナルから上記の発着信画像データを獲得するリクエストを受信するステップと、
上記のリクエストのパラメータに基づき、上記の発着信画像データ提供プラットフォームで上記の発着信画像データを検索するステップと、
上記の検索した発着信画像データを上記の第一通信ターミナルに送信するステップを含む通信方法。
【請求項２８】
上記のパラメータには、少なくとも上記の第一通信ターミナルのアドレス情報と上記の第二通信ターミナルのアドレス情報を含む請求項２７記載の通信方法。
【請求項２９】
上記のアドレス情報は、通信ターミナルに割り当てられる唯一識別コードである請求項２８記載の通信方法。
【請求項３０】
この通信システムの第一通信ターミナルに対して、通信データを提供する通信システムにおいて、上記の通信データは上記の通信システムの第二通信ターミナルの利用者の個性化情報を表示する発着信画像データである通信システムであって、
第一通信ターミナルと、
第二通信ターミナルと、
発着信画像データ提供プラットフォームを備え、
上記の発着信画像データ提供プラットフォームは、上記の発着信画像データを保存し、
上記の第一通信ターミナルは、上記の発着信画像データ提供プラットフォームに対して、上記の発着信画像データを獲得するリクエストを送信し、また、上記の発着信画像データ提供プラットフォームから、上記のリクエストに対するレスポンスとして上記の発着信画像データを受信する通信システム。
【発明の詳細な説明】
【技術分野】
【０００１】
本発明は、通信技術分野に関する。更に詳しくは、本発明は一種の通信方法及びこの通信方法を実施する通信システムに関する。
【背景技術】
【０００２】
通信技術とネットワーク技術の発展に従い、例えば携帯電話、個人用の携帯情報端末(PDA)、固定電話、ソフトターミナル付のノートパソコンなどの通信ターミナルは、ますます普及している。利用者は、これら通信ターミナルを利用し、通信ネットワークを通じて、音声コール業務を実現できる。しかし、現在、これら通信ターミナルの利用者は、普通の音声通信業務に満足できなくなっている。彼らは、通信ネットワークを通じて、より豊富なサービスを利用したい。
【０００３】
普通の音声通信業務を提供すると同時に、利用者に着信メロディ業務を提供する技術が提出され、これによれば、呼出し側が被呼側に対してコールを出す時、着信メロディプラットフォームは呼出し側に対して着信メロディ音を提供する。しかし、既存の技術では、利用者に対して簡単な着信メロディ音だけを提供し、利用者の要求を満足できない。既存の技術では、音声コールをすると同時に通信ターミナルの利用者に対して豊富なデータ業務を提供する技術が出現していない。上記の豊富なデータは、例えばテキストデータ、画像データ、オーディオデータ、ビデオデータなどから組合せた組合データである。既存の技術では、豊富なデータの内容を表示する通信ターミナルがない。
【発明の開示】
【０００４】
本発明の目的は、通信システムの通信ターミナルに対して通信データを提供する通信方法において、この通信ターミナルの利用者に対して、豊富な発着信画像データを提供する通信方法を提供することにある。
【０００５】
本発明の請求項により、本発明は、一種の通信方法を提供する。本発明は、一つの通信システムの第一通信ターミナルに対して通信データを提供する。上記の通信データは、上記の通信システムの第二通信ターミナルの利用者の個性化情報を表示する発着信画像データである。上記の発着信画像データを事前に発着信画像データ提供プラットフォームに保存している。この通信方法は、上記の第一通信ターミナルが、上記の発着信画像データ提供プラットフォームに対して、上記の発着信画像データを獲得するリクエストを送信する送信ステップと、上記の第一通信ターミナルが、上記の発着信画像データ提供プラットフォームから上記のリクエストに対するレスポンスとして上記の発着信画像データを受信する受信ステップを含む。
【０００６】
本発明の１つの実施例により、この通信方法はまた、上記の第一通信ターミナルで上記の発着信画像データを表示するステップを含む。
【０００７】
本発明の１つの実施例により、この通信方法はまた、上記の送信ステップの前に、上記の第一通信ターミナルでコールイベントが発生したかチェックし、コールイベントの発生をチェックした時、上記の送信ステップを実行するステップを含む。好ましくは、上記のコールイベントは、コールインイベント、コールアウトイベント、接続イベント、ハングアップ・イベント、コールアウトレディ・イベント及び利用者照会イベントの何れかである。
【０００８】
本発明の１つの実施例により、上記のリクエストには少なくとも、上記の第一通信ターミナルのアドレス情報及び上記の第二通信ターミナルのアドレス情報を含む。好ましくは、上記のアドレス情報は、上記の第一或いは第二通信ターミナルに割り当てられる唯一識別コードである。
【０００９】
本発明の１つの実施例により、この通信方法はまた、上記の受信ステップの後で、上記の第一通信ターミナルが受信した上記の発着信画像データを保存するステップを含む。
【００１０】
本発明の１つの実施例により、この通信方法はまた、上記の発着信画像データ提供プラットフォームから上記の発着信画像データを受信できない時、上記の第一通信ターミナルでこれまで保存された発着信画像データを表示するステップを含む。
【００１１】
本発明の１つの実施例により、この通信方法はまた、上記の受信した発着信画像データと上記の第一通信ターミナルにこれまで保存した発着信画像データが一致しない時、受信した発着信画像データを利用して、これまで保存した発着信画像データを更新するステップを含む。
【００１２】
本発明の１つの実施例により、第一通信チャネルを通じて、上記の送信ステップと上記の受信ステップを実行する。上記の第一通信チャネルは、パケット交換チャネルである。好ましくは、上記のパケット交換チャネルは、有線或いは無線パケットチャネルの何れかである。
【００１３】
本発明の１つの実施例により、第一通信チャネルを通じて、上記の送信ステップと上記の受信ステップを実行し、上記の第一通信チャネルは、回路交換チャネルである。
【００１４】
本発明の１つの実施例により、上記の第一通信ターミナルは発信側設備、及び上記の第二通信ターミナルはエンド側設備であり、上記の第一通信ターミナルは、第二通信チャネルを通じて、上記の第二通信ターミナルに対してコール作成のリクエストを出す時、上記の送信ステップを実行する。
【００１５】
本発明の１つの実施例により、上記の第二通信チャネルは、回路交換チャネルとパケット交換チャネルの何れかとする。
【００１６】
本発明の１つの実施例により、上記の第二通信チャネルは、上記の第一通信チャネルと同じチャネルである。
【００１７】
本発明の１つの実施例により、上記の第一通信ターミナルはエンド側設備、及び上記の第二通信ターミナルは発信側設備であり、上記の第一通信ターミナルは、第二通信チャネルを通じて、第二通信ターミナルからのコール作成のリクエストを受信到した時、上記の送信ステップを実行する。
【００１８】
本発明の１つの実施例により、上記の第二通信チャネルは、回路交換チャネルとパケット交換チャネルの何れかとする。
【００１９】
本発明の１つの実施例により、上記の第二通信チャネルは、上記の第一通信チャネルと同じチャネルである。
【００２０】
本発明の１つの実施例により、上記の第二通信チャネルは、上記の第一通信チャネルと異なるチャネルである。
【００２１】
本発明の１つの実施例により、上記の発着信画像データは、コール状態によって違う。
【００２２】
本発明の１つの実施例により、上記の発着信画像データは、時間帯によって違う。
【００２３】
本発明の１つの実施例により、上記の発着信画像データは、通信ターミナルによって違う。
【００２４】
本発明の１つの実施例により、上記の発着信画像データには、テキストデータ、画像データ、オーディオデータ、flashデータ、ビデオデータ、リンクアドレスデータ及びマルチメディアデータの1種或いは複数の組合を含む。
【００２５】
本発明の１つの実施例により、上記の個性化情報には、第二通信ターミナルの利用者の身分情報を含む。
【００２６】
本発明の１つの実施例により、上記の身分情報には、氏名、性別、電話番号、家庭アドレス、会社名、肩書き、郵便番号、MSN、メールアドレス、個人の署名の1つ或いは複数のものを含む。
【００２７】
本発明のもう１つの実施例により、一種の通信方法を提供する。この通信方法では、一つの通信システムの第一通信ターミナルに対して、通信データを提供する。上記の通信データは一種の上記の通信システムの第二通信ターミナルの利用者の個性化情報を表示する発着信画像データであり、上記の発着信画像データを事前に発着信画像データ提供プラットフォームに保存している。この通信方法は、上記の第一通信ターミナルから上記の発着信画像データを獲得するリクエストを受信するステップと、上記のリクエストのパラメータに基づき、上記の発着信画像データ提供プラットフォームで上記の発着信画像データを検索するステップと、上記の検索した発着信画像データを上記の第一通信ターミナルに送信するステップを含む。
【００２８】
本発明の１つの実施例により、上記のパラメータは、少なくとも、上記の第一通信ターミナルのアドレス情報と上記の第二通信ターミナルのアドレス情報を含む。
【００２９】
本発明の１つの実施例により、上記のアドレス情報は、通信ターミナルに割り当てられる唯一識別コードである。
【００３０】
本発明のもう１つの実施例により、一種の通信システムを提供する。この通信システムでは、この通信システムの第一通信ターミナルに対して、通信データを提供する。上記の通信データは上記の通信システムの第二通信ターミナルの利用者の個性化情報を表示する発着信画像データとする。この通信システムは、第一通信ターミナル、第二通信ターミナル、及び発着信画像データ提供プラットフォームを含む。上記の発着信画像データプラットフォームは、上記の発着信画像データを保存している。上記の第一通信ターミナルは、上記の発着信画像サーバに対して、上記の発着信画像データを獲得するリクエストを送信し、また、上記の発着信画像データ提供プラットフォームから、上記のリクエストに対するレスポンスとして上記の発着信画像データを受信する。
【００３１】
図面を参照して詳細に説明すると、本発明の特徴、メリットとその他の面が、更に明らかになる。
【００３２】
本明細書の上下文で、例として、回路交換通信ネットワークに基づくグローバル移動体通信システム（GSM)及びパケット交換通信ネットワークの汎用パケット無線業務(GPRS)のシステムを参考して、本発明の原理を説明する。しかし、ここで注意しなければならないのは、本明細書で説明する実施例は例であり、限定的でない。その他の回路交換通信ネットワークとパケット交換通信ネットワークも、本発明で使われ、データ通信と音声通信を実現できる。適当な回路交換通信ネットワーク及びパケット交換通信ネットワークで音声通信とデータ通信を伝送できる。何れの適当な接続技術のある固定回路と移動回路とパケット交換ネットワーク、例えば時分割多元接続(TDMA)、符号分割多元接続(CDMA)、周波数分割多元接続(FDMA)、直交周波数分割多元接続(OFDMA)、時分割複信(TDD)、周波数分割複信(FDD)、或いは上記技術の組合の何れかを使用できる。本発明は、何れの特定種類の通信ネットワーク或いは接続技術を限定しない。
【００３３】
本明細書において、用語「発着信画像データ」とは、通信ターミナルで表示でき、またこの通信ターミナルと音声通信をするもう１つの通信ターミナルの利用者を表示する個性化データである。既存技術の単一のデータ種類とは違って、本発明の発着信画像データには、各種のマルチメディアデータの組合データを含む。例えば、上記の発着信画像データの内容には、利用者のカスタマイズした図像、画像、ビデオ番組、アニメーション、マルチメディア情報等の組合データを含む。具体的に、本発明の発着信画像データには、テキストデータ、画像データ、オーディオデータ、flashデータ、ビデオデータ、リンクデータ及びその他のマルチメディアデータの1種或いは複数の組合を含む。上記のテキストデータの内容は、文字情報、注釈文字、脚本などとすることができる。上記の画像データの種類は、ビットマップ (BMP)、ジョイント・フォトグラフィック・グループ(JPG)、ジョイント・フォトグラフィック・エキスパート・グループ (JPEG)、ポータブル・ネットワーク・グラフィックス(PNG)、グラフィックス交換フォーマット (GIF)、SWF等の種類を含むが、それらに限られない。画像データの内容は、例えば、各種のカートーン画像、ペストピクチャなどとすることができる。上記のオーディオデータの種類は、楽器デジタルインターフェース(MIDl)、波形ファイル (WAV)、SMF、MP3等の種類を含むが、それらに限られない。オーディオデータの内容は、例えば音楽などである。上記のビデオデータの種類には、例えばオーディオ・ビデオ・インターリビング(AVl)、RM、NIPEG−2、MPEG−4、H．264等の種類を含むが、それらに限られない。上記のリンクデータは、例えばURL等のアドレス情報である。なお、上記の発着信画像データの内容にはまた、利用者の身分情報を含み、その身分情報には、例えば利用者の氏名、性別、電話番号、冢庭アドレス、就職の会社名、肩書き、郵便番号、MSN、メールアドレス、個人の署名の或いは複数のものを含む。
【００３４】
本明細書において、用語「通信ターミナル」とは、マルチメディア機能のある固定電話、移動電話、カスタマイズ電話、個人用の携帯情報端末(PDA)、ソフトターミナルの運転しているノートパソコン或いはデスクトップ等を指す。上記の「通信ターミナル」は、GSM標準、CDMA標準、WCDMA標準、CDMA2000標準、HSDPA標準、GPRS標準、3G標準及びこれからの次世代通信標準の何れに対応する。本発明の通信ターミナルは、何れの特定標準のターミナルに限られない。
【００３５】
（通信ターミナルに対して、発着信画像データを提供する通信システムの体系構造）
【００３６】
以下、図1を参考にして説明する。図1は、イメージ的に本発明に基づく実施例の通信システム10を示す。
【００３７】
図lに示すように、この通信システム10には、通信ターミナル11Aと通信ターミナル11B、GSM通信ネットワーク12とGPRS通信ネットワーク13、及び発着信画像データ提供プラットフォームl4を含む。通信ターミナル11Aは、GSM通信ネットワーク12或いはGPRS通信ネットワーク13を通じて、通信ターミナル11Bと接続する。同時に、通信ターミナル11Aと通信ターミナル11Bは、GSM通信ネットワーク12或いはGPRS通信ネットワーク13を通じて、ゲートウェイ(図に示されていない)を通じ、発着信画像データ提供プラットフォーム14と接続する。
【００３８】
通常は、GSM通信ネットワーク12或いはGPRS通信ネットワーク13を通じて、通信ターミナル11Aと通信ターミナル11Bの間で、伝統の音声コールリンクを作成する。例えば、呼出し側の通信ターミナルllAは、GSM通信ネットワーク12或いはGPRS通信ネットワーク13を通じて、被呼側の通信ターミナル11Bに対して、音声コールを出し、被呼側の通信ターミナル11Bは、この音声コールに対して、応答を出す。この応答は、例えば、このコールの受け入れ、このコールの拒絶などである。レスポンスとして、被呼側の通信ターミナル11Bは、この音声コールを受け入れる時、呼出し側の通信ターミナル11Aと被呼側の通信ターミナル11Bの間で音声通信を行う。
【００３９】
入れ替えとして、通信ターミナル11Bが呼出し側として、被呼側の通信ターミナル11Aに対して、音声コールを出すことができる。
【００４０】
本発明の通信システム10では、発着信画像データ提供プラットフォーム14は、発着信画像データを保存する。この発着信画像データは、通信ターミナル11Bで表示され、また通信ターミナル11Aの利用者を表示する個性化情報と、通信ターミナル11Aで表示され、通信ターミナル11Bの利用者を表示する個性化情報を含む。例えば、通信ターミナル11Aの利用者は、事前に各種の接続方式を利用して、通信ネットワークを通じて、発着信画像データ提供プラットフォーム14で、通信ターミナル11Aと通信ターミナル11Bの音声通話の起呼、作成、実行期間或いは完成後に通信ターミナル11Bで表示される発着信画像データを設定することができる。例えば、通信ターミナル、ウェブ(WEB)、ワイヤレスアプリケーションプロトコル(WAP)、自動音声応答装置 (1VR)等の方式を利用して、発着信画像データ提供プラットフォームに接続し、発着信画像データを設定(カスタマイズ)することができる。同じように、通信ターミナル11Bの利用者は、各種の接続方式を利用し、通信ネットワークを通じて、発着信画像データ提供プラットフォーム14で、通信ターミナル11Aと通信ターミナル1lBの音声通話の起呼、作成、実行期間或いは完成後に通信ターミナル11Aで表示される発着信画像データを設定できる。上文において、発着信画像データの種類と内容を説明したため、ここでは説明を省略する。
【００４１】
本発明の1つの実施例において、通信ターミナルllAと11Bのアドレス情報を、発着信画像データと関連付けて発着信画像データ提供プラットフォーム14に保存する。好ましくは、上記のアドレス情報は、例えば、通信ターミナルに割り当てられる唯一識別コード、例えば電話番号である。後で詳細に発着信画像データ提供プラットフォーム14の配置を説明する。
【００４２】
本発明の1つの実施例により、通信ターミナル1lAと通信ターミナル11Bの間で音声コールを利用する通信ネットワーク(第二通信チャネル)は、パケット交換通信ネットワーク（例えばGPRS通信ネットワーク13）や、また電話交換通信ネットワーク（例えばGSM通信ネットワーク12）であってもいい。上記のパケット交換通信ネットワークは、無線ネットワーク或いは有線ネットワークとすることができる。
【００４３】
本発明の1つの実施例により、通信ターミナル11Aと発着信画像データ提供プラットフォーム14の間で、発着信画像データを獲得するための通信ネットワーク(第一通信チャネル)は、通信ターミナル11Aと通信ターミナル11Bの間で音声コールを利用する通信ネットワーク(第二通信チャネル)と同じ、または異なる。
【００４４】
（通信システムの通信ターミナルに対して発着信画像データを提供する方法）
【００４５】
図2は、本発明の実施例の通信方法のフローチャートである。
【００４６】
図2に示すように、ステップ101では、通信ターミナル11Aで音声コールアウトイベントが発生するかをチェックする。具体的には、呼出し側が、呼出し側の通信ターミナル11Aで被呼側の通信ターミナル1lBの唯一識別コード、例えば電話番号等を入力したかチェックする。
【００４７】
オプションとして、呼出し側の通信ターミナル11Aに事前に被呼側の通信ターミナル11Bの唯一識別コードを保存した場合、呼出し側が、通信ターミナル11Aに保存された被呼側の通信ターミナル11Bの唯一識別コードを選択したかチェックする。
【００４８】
次に、ステップ101でコールアウトイベントがあることをチェックした場合、ステップ102では、通信ターミナル11Aは、入力或いは選択した被呼側の通信ターミナル11Bの唯一識別コードにより、通信ネットワークを通じて被呼側の通信ターミナル11Bに対するコールを起呼する。
【００４９】
同時に、ステップ103では、事前に設定された発着信画像データ提供プラットフォーム14のネットワークアドレスにより、呼出し側の通信ターミナル11Aは、通信ネットワークを通じて、発着信画像データ提供プラットフォーム14に対して、通信ターミナル11Bの利用者の発着信画像データを獲得するリクエストを送信する。好ましくは、この発着信画像データの獲得リクエストには、少なくとも呼出し側の通信ターミナル11Aのアドレス情報と被呼側の通信ターミナル11Bのアドレス情報を含む。更に好ましくは、上記のアドレス情報は、通信ターミナルに割り当てられる唯一識別コード、例えば電話番号である。好ましくは、この通信ネットワークは、GSM通信ネットワーク或いはGPRS通信ネットワークである。
【００５０】
次に、ステップ104では、発着信画像データ提供プラットフォーム14は、呼出し側の通信ターミナル11Aから送信された発着信画像データを獲得するリクエストを受信し、呼出し側の通信ターミナル11Aのアドレス情報と被呼側の通信ターミナル11B のアドレス情報、例えば通信ターミナルの唯一識別コードを獲得する。
【００５１】
次に、ステップ105では、呼出し側の通信ターミナル11Aの唯一識別コード及び被呼側の通信ターミナル11Bの唯一識別コードにより、発着信画像データ提供プラットフォーム14で被呼側の通信ターミナル11Bの利用者が事前に設定した、呼出し側の通信ターミナル11Aに提供される発着信画像データを検索する。
【００５２】
本発明の1つの実施例では、呼出し側の通信ターミナル11Aのアドレス情報(唯一識別コード)、被呼側の通信ターミナル11Bのアドレス情報(唯一識別コード)、時間パラメータにより、発着信画像データ提供プラットフォーム14で被呼側の通信ターミナル1lBの利用者が事前に設定した、呼出し側の通信ターミナル11Aに提供される発着信画像データを検索する。
【００５３】
本発明のもう１つの実施例では、呼出し側の通信ターミナル11Aの唯一識別コード、被呼側の通信ターミナル11Aの唯一識別コード、時間パラメータ、及び通信ターミナル11Aと通信ターミナル11Bの所在位置により、発着信画像データ提供プラットフォーム14で被呼側の通信ターミナル11Bの利用者が事前に設定した、呼出し側の通信ターミナル11Aに提供される発着信画像データを検索する。
【００５４】
この分野の当業者は、その他のパラメータを本発明で使用し、発着信画像データ提供プラットフォーム14で被呼側の通信ターミナル11Bの利用者が事前に設定した、呼出し側の通信ターミナル11Aに提供される発着信画像データを検索することができると理解すべきである。この場合、このパラメータを発着信画像データと関連付けて発着信画像データ提供プラットフォーム14に保存するだけでいい。
【００５５】
次に、ステップ106では、発着信画像データ提供プラットフォーム14は、検索した発着信画像データを、通信ネットワークを通じて、呼出し側の通信ターミナル11Aに送信する。
【００５６】
次に、ステップ107では、呼出し側の通信ターミナル11Aは、発着信画像データ提供プラットフォーム14からの発着信画像データを受信する。
【００５７】
次に、ステップ108では、通信ターミナル11Aの設定により、呼出し側の通信ターミナル11Aは、受信した発着信画像データを表示する。この表示は、ステップ102で音声コールの操作と同時に行われることができる。例えば、コール接続の前に、通信ターミナル11Aで受信した発着信画像データを表示する。また、コール接続期間或いはコール終了後に、発着信画像データを表示することもできる。本発明の1つの実施例により、コール接続の前に、コール接続期間及びコール終了後の期間に、異なる発着信画像データを表示できる。
【００５８】
なお、好ましくは、受信した発着信画像データを呼出し側の通信ターミナル11Aに保存し、通信ターミナル11Aが発着信画像データ提供プラットフォーム14の接続(例えばネットワークターミナル)を作成できない時、音声コール期間にすでに保存した通信ターミナル11Aの発着信画像データを表示することができる。
【００５９】
好ましくは、発着信画像データ提供プラットフォーム14から受信した発着信画像データと通信ターミナル11Aに保存した発着信画像データを比較し、通信ターミナル11Aで保存された発着信画像データを更新する必要があるか確定する。呼出し側の通信ターミナル11Aに保存した発着信画像データと発着信画像データ提供プラットフォーム14から受信した発着信画像データが一致しない時、受信した発着信画像データを利用して、通信ターミナル11Aに保存した発着信画像データを更新する。
【００６０】
本発明の1つの実施例により、呼出し側の通信ターミナル11Aと被呼側の通信ターミナル1lBのコール過程に、被呼側の通信ターミナル11Bが受話する前、受話期間、及び受話後、呼出し側の通信ターミナル1lAのディスプレイでリアルタイムに被呼側が事前に設定し、発着信画像データ提供プラットフォーム14に保存した発着信画像データ、例えば、1つの画像、アニメーション或いはその他のマルチメディアと文字情報を表示する。
【００６１】
図3は、本発明のもう１つの実施例による通信方法のフローチャートを示す。
【００６２】
この実施例では、被呼側の通信ターミナル11Bは、呼出し側の通信ターミナル11Aが通信ネットワークを通じて送信した音声コールを受信すると同時に、発着信画像データ提供プラットフォーム14に対して、発着信画像データを獲得するリクエストを送信し、発着信画像データ提供プラットフォーム14から、通信ターミナル1lAの利用者が事前に設定した、通信ターミナル11Bで表示される発着信画像データを獲得する。
【００６３】
先ず、ステップ201では、通信ターミナル11Bで音声コールインイベントが発生したかをチェックする。具体的に、被呼側の通信ターミナル11Bが、通信ターミナル1lAから通信ネットワークを通じて、送信した音声コール作成リクエストを受信したかチェックする。
【００６４】
次に、ステップ201では、音声コール作成リクエストをチェックした場合、ステップ202では、被呼側の通信ターミナル11Bが、上述コール作成リクエストに対してレスポンスを出し、コールを作成する。
【００６５】
同時に、ステップ203では、事前に設定した発着信画像データ提供プラットフォーム14のネットワークアドレスにより、被呼側の通信ターミナル11Bは、通信ネットワークを通じて、発着信画像データ提供プラットフォーム14に対して、通信ターミナル1lAの利用者の発着信画像データを獲得するリクエストを送信する。好ましくは、この発着信画像データの獲得リクエストには、少なくとも呼出し側の通信ターミナル11Aのアドレス情報と被呼側の通信ターミナル11Bのアドレス情報を含む。更に好ましくは、上記のアドレス情報は、通信ターミナルに割り当てられる唯一識別コード、例えば電話番号である。好ましくは、この通信ネットワークは、GSM通信ネットワーク或いはGPRS通信ネットワークである。
次に、ステップ204では、発着信画像データ提供プラットフォーム14は、通信ターミナル1lBから送信される獲得リクエストを受信する。
【００６６】
次に、ステップ205では、呼出し側の通信ターミナル11Aのアドレス情報及び被呼側の通信ターミナル11Bのアドレス情報により、発着信画像データ提供プラットフォーム14で、呼出し側の通信ターミナル11Aの利用者が事前に設定した、被呼側の通信ターミナル11Bに提供される発着信画像データを検索する。
【００６７】
本発明のこの実施例では、また、呼出し側の通信ターミナル1lAのアドレス情報(唯一識別コード)、被呼側の通信ターミナル11Bのアドレス情報(唯一識別コード)、時間パラメータにより、発着信画像データ提供プラットフォーム14で呼出し側の通信ターミナル1lAの利用者が事前に設定した、被呼側の通信ターミナル1lBに提供される発着信画像データを検索することができる。
【００６８】
本発明のこの実施例では、また、呼出し側の通信ターミナル11Aの唯一識別コード、被呼側の通信ターミナル11Bの唯一識別コード、時間パラメータ、及び通信ターミナル1lAと通信ターミナル11Bの所在位置により、発着信画像データ提供プラットフォーム14で、呼出し側の通信ターミナル1lAの利用者が事前に設定した、被呼側の通信ターミナル11Bに提供される発着信画像データを検索することができる。
【００６９】
この分野の当業者は、その他のパラメータを本発明で使用し、発着信画像データ提供プラットフォーム14で被呼側の通信ターミナル11Aの利用者が事前に設定した、呼出し側の通信ターミナル11Bに提供される発着信画像データを検索することができると理解すべきである。この場合、このパラメータを発着信画像データと関連付けて発着信画像データ提供プラットフォーム14に保存するだけでいい。
【００７０】
次に、ステップ206では、発着信画像データ提供プラットフォーム14は、検索した発着信画像データを、通信ネットワークを通じて、被呼側の通信ターミナル11Bに送信する。
次に、ステップ207では、被呼側の通信ターミナル11Bは、発着信画像データ提供プラットフォーム14からの発着信画像データを受信する。
【００７１】
次に、ステップ208では、通信ターミナル11Bの設定により、被呼側の通信ターミナル1lBは、受信した発着信画像データを表示する。この表示はステップ202でコール作成の操作をすると同時に行われることができる。例えば、コール接続の前に受信した発着信画像データを表示する。オプションとして、コール接続期間、或いはコール終了後、発着信画像データを表示することができる。
【００７２】
なお、好ましくは、受信した発着信画像データを被呼側の通信ターミナル11Bに保存し、通信ターミナル11Bが、発着信画像データ提供プラットフォーム14との接続(例えばネットワークターミナル)を作成できない場合、音声コール期間に通信ターミナル11Bに保存された発着信画像データを表示することができる。
【００７３】
好ましくは、発着信画像データ提供プラットフォーム14から受信した発着信画像データと通信ターミナル11Bに保存された発着信画像データを比較し、通信ターミナル11Bに保存された発着信画像データを更新する必要があるか確定する。被呼側の通信ターミナル11Bに保存された発着信画像データと発着信画像データ提供プラットフォーム14から受信した発着信画像データが一致しない場合、受信した発着信画像データを利用して、通信ターミナル11Bに保存された発着信画像データを更新することができる。
【００７４】
本発明のこの実施例により、呼出し側の通信ターミナル1lAが被呼側の通信ターミナル11Bにコールする期間、被呼側の通信ターミナル11Bが受話する前、受話期間、及び受話後、被呼側の通信ターミナル11Bのディスプレイに、リアルタイムに呼出し側の利用者が事前に設定し、発着信画像データ提供プラットフォーム14に保存した発着信画像データ、例えば、1つの画像、アニメーション或いはその他のマルチメディアと文字情報を表示する。
【００７５】
本発明の実施例の1つの変形により、音声コールアウト或いはコールインイベントの発生のチェックに代え、音声接続イベントが発生したことをチェックする時、発着信画像の獲得と表示動作をトリガする。例えば、電話接続の時だけ、発着信画像の獲得と表示動作をする。
【００７６】
本発明の実施例の1つの変形により、音声ハングアップの発生をチェックする時だけ、発着信画像の獲得と表示動作をする。例えば、電話ハングアップの時だけ、発着信画像の獲得と表示動作をする。
【００７７】
本発明の実施例の1つの変形により、通信ターミナル11Aは、通信ターミナル11Bと音声コールを作成しない状況で、発着信画像データ提供プラットフォーム14から通信ターミナル11Bの利用者が事前に発着信画像データ提供プラットフォーム14に設定した、通信ターミナル1lAに提供される発着信画像データを獲得することができる。
【００７８】
例えば、通信ターミナル11Aの利用者は、通信ターミナル11Aに保存された通信ターミナル11Bの唯一識別コードをクリックし、通信ターミナル11Bの接続を起呼する前に(即ちコールアウトレディ・イベント)、発着信画像データ提供プラットフォーム14から通信ターミナル1lBの利用者が事前に発着信画像データ提供プラットフォーム14に設定した、通信ターミナル11Aに提供される発着信画像データ、例えば通信ターミナル11Bの利用者の胸像、履歴書などを獲得することができる。
【００７９】
なお、通信ターミナル11Aの利用者は、通信ターミナル11Bの利用者が事前に発着信画像データ提供プラットフォーム14に設定し、また通信ターミナル1lAに提供される、発着信画像データを照会したい時(即ち利用者の主動照会イベント)、通信ターミナル11Aの利用者は、通信ターミナル11Aに保存された通信ターミナル11Bの唯一識別コード(或いはアイコン)をクリックして、主動で発着信画像データ提供プラットフォーム14から発着信画像を獲得することができる。
【００８０】
（発着信画像データ提供プラットフォームの配置）
【００８１】
図4は、本発明の1つの実施例による発着信画像データ提供プラットフォームの配置のブロック図を示す。
【００８２】
図4に示すように、本発明の発着信画像データ提供プラットフォーム14には、発着信画像データベース141、発着信画像データ・リクエスト受信装置143、発着信画像データ検索装置144、及び発着信画像データ送信装置145を含む。好ましくは、本発明の発着信画像データ提供プラットフォーム14には、発着信画像データ設定装置142を含むことができる。
【００８３】
発着信画像データベース141には、システムの事前に設定した、或いは／又は登録利用者の設定した発着信画像データを保存している。上述のように、発着信画像データにはテキストデータ、画像データ、オーディオデータ、flashデータ、ビデオデータ、リンクアドレスデータ及びマルチメディアデータの1種或いは複数の組合を含むことができる。
【００８４】
好ましくは、発着信画像データを通信ターミナルに割り当てられる唯一識別コードと関連付けて発着信画像データベース141に保存する。例えば、1つの登録利用者は、もう１つの利用者と音声通話を作成する時に、もう１つの利用者の通信ターミナルで特定の発着信画像データを表示したい場合、この特定の発着信画像データを、この登録利用者の通信ターミナルに割り当てられる唯一識別コード、及びもう１つの利用者の通信ターミナルに割り当てられる唯一識別コードと関連付けて、発着信画像データベースに保存することができる。
【００８５】
発着信画像データ設定装置142は、発着信画像データベースの発着信画像データを設定する。本発明において、通信ターミナル1lAの利用者は、発着信画像データ提供業務の登録利用者である場合、彼(彼女)は、通信ネットワークを通じて、発着信画像データ設定装置142を利用し、発着信画像データベース141に、通信ターミナル11Bが通信ターミナル1lAにコールする時、通信ターミナル11Bで表示される発着信画像データを設定することができる。同時に、通信ターミナル11Bの利用者は、発着信画像データ提供業務の登録利用者である場合、彼(彼女)は、通信ネットワークを通じて、発着信画像データ設定装置142を利用し、発着信画像データベース141に、通信ターミナル11Aが通信ターミナル11Bにコールする時、通信ターミナル11Aで表示される発着信画像データを設定することができる。
【００８６】
本発明により、登録利用者は、通信ターミナルのアプリケーションを利用して、発着信画像データ提供プラットフォーム14に接続し、発着信画像データ設定装置142を利用して、発着信画像データを設定することができる。登録利用者はまた、ウェブ(WEB)方式で発着信画像データ提供プラットフォーム14に接続し、発着信画像データ設定装置142を利用して発着信画像データを設定することができる。登録利用者はまた、ワイヤレスアプリケーションプロトコル (WAP)を利用し、ショートメッセージの方式で発着信画像データ提供プラットフォーム14に接続し、発着信画像データ設定装置142を利用して、発着信画像データを設定することができる。また、登録利用者は、自動音声応答装置 (1VR)の方式で発着信画像データ提供プラットフォーム14に接続し、発着信画像データ設定装置142を利用して、発着信画像データを設定することができる。
【００８７】
本発明の1つの実施例により、被呼側の通信ターミナルのコール状態、例えばアイドル状態、オフ状態、サービス領域にない、通話中など各種の状態により、それぞれ呼出し側の通信ターミナルで表示される発着信画像データを設定することができる。言い換えれば、被呼側の登録利用者は、発着信画像データ設定装置142を利用して、被呼側の通信ターミナルの複数のコール状態を、それぞれのコール状態と対応する発着信画像データと関連付けて、発着信画像データベース141に保存することができる。呼出し側の通信ターミナルは、発着信画像データ提供プラットフォーム14に対して、発着信画像データの獲得リクエストを送信する時、画像データ提供プラットフォーム14は、被呼側のコール状態を獲得し、また発着信画像データベース141でこのコール状態に対応した発着信画像データを検索し、呼出し側の通信ターミナルに提供することができる。呼出し側の通信ターミナルは、発着信画像データ提供プラットフォーム14から提供された、このコール状態に対応した発着信画像データを表示することができる。
【００８８】
本発明の1つの実施例により、登録利用者は、発着信画像データ設定装置142を通じて、個人が現在、相手に表示される状態情報を、発着信画像データとして設定でき、この状態情報には、利用者ビジー、会議中、外出、食事、休憩などを含むが、それらに限られない。
【００８９】
好ましくは、登録利用者は、発着信画像データ設定装置142を利用し、発着信画像データの提供に対して、一時停止或いはオン (ON／OFF)機能を設定することができる。
【００９０】
本発明の1つの実施例により、発着信画像データ提供プラットフォーム14は、登録利用者に対して省略された発着信画像を提供する。具体的に、登録利用者は、発着信画像データ提供業務を申請してから、特別に設定しない場合、この登録利用者にコールする通信ターミナルの受信した発着信画像内容は、発着信画像データ提供プラットフォーム14から登録利用者に割り当てられる省略された発着信画像データである。好ましくは、登録利用者はまた、省略された発着信画像データを変更することができる。
【００９１】
本発明の1つの実施例により、登録利用者は、発着信画像データ設定装置142を利用して、時間別に発着信画像をカスタマイズすることができる。具体的に、時間帯別に異なる発着信画像データを提供できるように設定することができる。例えば、1日の異なる時間帯に、異なる発着信画像データを提供する。例えば1日の午前8：00から12：00、午後1：00から6：00、それぞれ異なる発着信画像データを提供する。1週間の曜日別に異なる発着信画像データを提供し、例えば、月曜から金曜まで、土日曜にそれぞれ異なる発着信画像データを提供する。1月のある日或いは複数の日に、異なる発着信画像データを提供する。例えば、毎月の5日、或いは毎月の5日から10日まで、その他の時間と異なる発着信画像データを提供する。毎年の1日或いは複数の日に異なる発着信画像データを提供する。例えば：毎年の10月1日と毎年の5月1日から5月7日まで、その他の時間と異なる発着信画像データを提供する。時間帯には、事前に指定した具体の日と時間帯を含む。
【００９２】
本発明の1つの実施例により、登録利用者は、発着信画像データ設定装置142を利用して、相手の番号別にそれぞれ異なる発着信画像をカスタマイズできる。具体的に、相手に複数の番号がある場合、それぞれの番号を対応する発着信画像データと関連付けて発着信画像データベースに保存することができる。これにより、1つの番号からの発着信画像獲得リクエストを受信した場合、発着信画像データ提供プラットフォーム14は、この番号に対応した発着信画像データを相手に送信する。
【００９３】
本発明の1つの実施例において、登録利用者は、発着信画像データ設定装置142を利用して番号をグループ分け、グループを名づけることができ、また異なる番号グループに対して、それぞれ異なる発着信画像をカスタマイズすることができる。具体的に、グループ名、成員番号を発着信画像データと関連付けて発着信画像データベースに保存することができる。例えば、番号を「同僚」、「友達」、「家族」などのグループに分けることができる。これにより、1つのグループ成員からの発着信画像の獲得リクエストを受信した場合、そのグループに対応した発着信画像データをそのグループ成員に送信する。
【００９４】
本発明の1つの実施例では、登録利用者は、発着信画像データ設定装置142を利用して、相手の位置により発着信画像をカスタマイズすることができる。相手の異なる所在地(国、省、市)により、それぞれ異なる発着信画像を設定することができる。具体的に、例えば、相手の識別コード、登録利用者の識別コード、位置及び対応の発着信画像データを関連付けて発着信画像データベース141に保存する。これにより、コール相手からの発着信画像データの獲得リクエストを受信する場合、リクエストにはコール相手の識別コード、登録利用者の識別コード、所在位置を含むと、所在位置に対応した発着信画像データをこのコール相手に送信することができる。例えば、相手が北京で発着信画像データのリクエストを送信する時に獲得した発着信画像データは、相手が上海で発着信画像データのリクエストを送信する時に獲得した発着信画像データと異なることができる。
【００９５】
本発明の1つの実施例で、登録利用者は、発着信画像データ設定装置142を利用して、発着信画像データを表示する通信ターミナルの種類により、異なる発着信画像をカスタマイズすることができる。例えば、携帯電話、固定電話、PDAでの表示について、それぞれ異なる発着信画像データを提供する。
【００９６】
この分野の当業者は、登録利用者は、上述のコール状態、時間、位置、番号、番号グループ、通信ターミナルの種類などの条件に対して組合設定を行い、異なる発着信画像をカスタマイズできると理解すべきである。同時に、発着信画像データの表示ルールは上記のコール状態、時間、所在地、番号、番号グループ、通信ターミナルの種類などの条件に対して、優先レベルをそれぞれ設定することができる。
【００９７】
本発明の1つの実施例では、登録利用者は、発着信画像データ設定装置142を利用して、発着信画像内容に対して、編集、改定、個人情報の作成・変更をすることができる。発着信画像内容の改定と作成には、例えば個人のデジタル写真のアップロード、改定及び新しい発着信画像の作成、個人画像のアップロード、改定及び新しい発着信画像の作成、アニメーションとその他のストリームのアップロード、改定及び新しい発着信画像の作成を含む。
【００９８】
引き続き図4を参考し、発着信画像データ・リクエスト受信装置143は、通信ターミナルからの発着信画像データの獲得リクエストを受信する。
【００９９】
発着信画像データ検索装置144は、発着信画像データの獲得リクエストのパラメータにより、発着信画像データベース141から通信ターミナルで表示される発着信画像データを検索する。好ましくは、このパラメータには、呼出し側の通信ターミナル及び被呼側の通信ターミナルに割り当てられる唯一識別コードを含む。
【０１００】
発着信画像データ送信装置145は、検索した発着信画像データを受信し、またこの検索した発着信画像データを、通信ネットワークを通じて、通信ターミナルに送信する。
【０１０１】
本発明の発着信画像データ提供プラットフォーム14は同時に、業務の宣伝機能がある。この宣伝機能は、発着信画像データ提供業務を申請した利用者が、発着信画像データ提供業務を申請していない利用者、或いはターミナルにクライアント側のソフトウェアをインストールしていない利用者と通話したのち、ショートメッセージ、画像メッセージ、IVR等の方式で、これら利用者に対して業務を宣伝する機能がある。
【０１０２】
本発明の好ましい実施例により、通信ターミナルは、発着信画像データ提供プラットフォーム14と接続する過程で、発着信画像データ提供プラットフォーム14は、通信ターミナルのソフトウェアのバージョンに対して、判断と比較を行うことができる。通信ターミナルの現在のソフトウェアバージョンより更新のバージョンが存在する時、利用者にバージョンのアップグレードを注意し、それにより通信ターミナルのソフトウェアを更新することができる。
【０１０３】
本発明の発着信画像データ提供プラットフォームは、リアルタイムに発着信画像データを提供し、またいろいろの時間帯別の業務利用者の数、一定時間内に発着信画像業務を申請した利用者数、一定時間内の発着信画像データの業務収入、利用者が第三者のサービス供給業者の発着信画像データをダウンロードすることで発生した情報料などのデータを統計できる。
【０１０４】
発着信画像データ提供プラットフォーム14はまた、情報料のリストを提供できる。リストには、発着信画像データの購入・ダウンロード時間、業務提供のコンテンツ供給業者の名称、発着信画像の名称などの内容を含む。
【０１０５】
それぞれの発着信画像データは、一定の有効期間があり、また永久に使用することもできる。登録利用者のカスタマイズした業務で、使用する発着信画像の有効期間が満了した場合、この発着信画像をシステムの提供する省略された発着信画像に変更して、引き続き業務を提供することができる。或いは、引き続き利用者のためにこの発着信画像データを提供し、また今回の使用を記録し、有料で使用することができる。2回目の料金は、ショートメッセージなどの方式で利用者に明らかに提示する。
【０１０６】
（通信ターミナルの配置）
【０１０７】
図5は、本発明の1つの実施例による通信ターミナルのイメージである。
【０１０８】
図5に示すように、本発明の1つの実施例による通信ターミナルには、コールイベント監視装置110、発着信画像データ通信装置111及び発着信画像データ表示装置112を含む。好ましく、この通信ターミナルには発着信画像データ保存装置113を含む。
【０１０９】
コールイベント監視装置110は、リアルタイムにコールイベントの発生を監視する。このコールイベントは、音声コールインイベント、音声コールアウトイベント、音声接続イベント、音声ハングアップイベント、コールアウトレディイベント、利用者照会イベント等を含む。上文では上述の各種コールイベントを説明した。このコールイベント監視装置110はまた、イベント発生時の一部のパラメータを提供し、コール相手の通信ターミナルの唯一識別コード、例えば電話番号等を含む。
【０１１０】
発着信画像データ通信装置111には、発着信画像データ提供プラットフォーム14との通信プロトコルを組み込んでいる。コールイベントが発生する時、発着信画像データ通信装置111は、発着信画像データ提供プラットフォーム14と接続を作成し、またネットワークを通じて、発着信画像データ提供プラットフォーム14と通信し、発着信画像データを獲得する。具体的に、コールイベントが発生する時、発着信画像データ通信装置111は、発着信画像データ提供プラットフォーム14に対してこのコールイベントに関する発着信画像データの獲得リクエストを送信する。好ましくは、このリクエストには少なくとも、このコールイベントに関するコール双方の通信ターミナルの唯一識別コードを含む。更に、発着信画像データ通信装置111は、発着信画像データ提供プラットフォーム14から、上記のリクエストに対するレスポンスとして発着信画像データを受信し、また受信した発着信画像データを、発着信画像データ表示装置112に送信する。
【０１１１】
発着信画像データ表示装置112は、発着信画像データを表示し、この発着信画像データには、テキストデータ、画像データ、オーディオデータ、ビデオデータなど各種のマルチメディアデータを含む。
【０１１２】
好ましくは、本発明の通信ターミナルで発着信画像データを提供する設備には、また発着信画像データ保存装置113を含む。発着信画像データ保存装置113は、発着信画像データ通信装置111からの発着信画像データを受信して保存する。この発着信画像データ保存装置1l3は、発着信画像データのキャッシュ機能を提供し、同じ発着信画像データを重複にダウンロードすることができる。
【０１１３】
好ましくは、この通信ターミナルにはまた、比較装置114があり、発着信画像データ通信装置111の発着信画像データ提供プラットフォーム14から獲得した発着信画像データと、発着信画像データ保存装置1l3に保存された相応の発着信画像データを比較する。更新装置115があり、発着信画像データ提供プラットフォーム14から獲得した発着信画像データと発着信画像データ保存装置113に保存された相応の発着信画像データが一致しない場合、上記の発着信画像データ提供プラットフォーム14から獲得した発着信画像データを利用し、上記の発着信画像データ保存装置1l3に保存された発着信画像データを更新し、これからの表示に供する。
【０１１４】
本発明の1つの実施例では、発着信画像データの種類がストリームでない場合、発着信画像データ表示装置112は、発着信画像データを全て受信してから、内容を再生し、同時にネットワークとの接続を終了する。発着信画像データの種類がストリームである場合、発着信画像データ表示装置ll2は、直ちに上記の発着信画像データの表示を開始し、同時にネットワークとの接続を維持し、持続してデータをダウンロードする。
【０１１５】
本発明の実施例では、発着信画像データの種類がネームカードの場合、ネームカードの方式で上記の発着信画像データを表示する。発着信画像データの種類がURLの場合、ウェブページの方式で上記の発着信画像データを表示する。発着信画像データの種類がマルチメディアの場合、マルチメディア・プレーヤーの形式で上記の発着信画像データを表示する。発着信画像データの種類がAvatarの場合、相手のイメージの方式で上記の発着信画像データを表示する。
【０１１６】
（通信ターミナルの操作）
【０１１７】
図6は、本発明の実施例の通信ターミナルで実行する操作のフローチャートである。図6の例は、音声コールインイベントをコールイベントとすることを示す。
【０１１８】
図6に示すように、ステップ301では、コールイベント監視装置110は、音声コールインを監視した。
【０１１９】
音声コールインを監視した時、ステップ302では、音声コールインイベントで発着信画像データ通信装置11lをトリガさせ、発着信画像データ・インタラクティブ・プロトコルを採用して、発着信画像データ提供プラットフォーム14と通信を行い、発着信画像データ提供プラットフォーム14からこの音声コールインイベントに関する発着信画像データを獲得する。具体的に、音声コールインイベントが発生する時、発着信画像データ通信装置111は、発着信画像データ提供プラットフォーム14に対して、このコールイベントに関する発着信画像データの獲得リクエストを送信する。好ましくは、このリクエストには少なくとも、この音声コールインイベントに関するコール双方の通信ターミナルの電話番号を含む。更に、発着信画像データ通信装置111は、発着信画像データ提供プラットフォームから上記のリクエストに対するレスポンスとして発着信画像データを受信し、また受信した発着信画像データを発着信画像データ表示装置112に送信する。
【０１２０】
ステップ303では、音声コールインと同時に、発着信画像データ表示装置112は、上記の発着信画像データを表示し、それから処理を終了する。
【０１２１】
好ましくは、ステップ304では、発着信画像データ提供プラットフォーム14から獲得した発着信画像データと、発着信画像データ保存装置113に保存された対応する発着信画像データを比較する。発着信画像データ提供プラットフォーム14から獲得した発着信画像データと発着信画像データ保存装置113に保存された対応する発着信画像データが一致する時、処理を終了する。一致しないときは、ステップ305では、上記の発着信画像データ提供プラットフォーム14から獲得した発着信画像データを利用して、上記の発着信画像データ保存装置113に保存された発着信画像データを更新し、これからの表示に供する。それから処理を終了する。
【０１２２】
その他のコールイベント状況が発生した場合、処理は上の処理と似ているので、ここで詳しく説明しない。
【０１２３】
特に指摘することは、音声ハングアップイベントが発生する時、コールイベント監視装置110は、発着信画像データ表示装置112に通知し、この時、発着信画像データ表示装置112は、発着信画像データの表示を停止する。この機能は実際の必要に応じて、音声ハングアップの後に引き続き表示する必要がある場合、停止しない。複数チャネルの音声接続がある場合、ハングアップに対応する音声コールの発着信画像データだけを停止し、その他のハングアップしない音声コールに対応する発着信画像データを引き続き表示する。
【０１２４】
ビデオ電話接続イベントが発生する時、ビデオ電話の通常機能の使用を影響しないために、発着信画像データの表示を停止することができる。この処理過程は、音声ハングアップの処理過程と類似であるが、イベントのトリガは電話接続の時である。
【０１２５】
（同時実行について）
業務において、２．５Ｇメカニズムと３Ｇメカニズムの２つのメカニズムを使用する場合について説明する。そのうちの３Ｇメカニズムは同時実行を利用するが、詳細は以下のとおりである。
【０１２６】
１．業務のトリガーメカニズムは端末（通信ターミナル）にある。
２．端末はコールイベントによりトリガーされるが、コールイベントにはコールインとコールアウトの２種類のイベントを含む。
３．コールイベントが発生する際に、端末はプロセスフローを起動する。フローには２つの方式を含む。ａ）２．５Ｇ方式：端末は、端末メモリに呼び出し先の情報が記憶されているかチェックする。既に記憶されている場合は、リアルタイムにユーザマルチメディアおよび個人情報データを表示する。ｂ）３Ｇ方式：端末は、リアルタイムにデータリンクを起動し、同時実行および音声呼び出しのデータリンクを発起するとともに、サーバに宛先マルチメディア内容、個人情報および状態などのデータを要求する。ｃ）データ取得後に、端末で複数種類の情報を再生し、キーイベントおよびその他スクリーン表示イベントをトリガーとして再生を終了し、あるいは端末の設定により再生を終了する。
【０１２７】
次に、双方向表示を、次のような角度から説明する。
被呼側から説明する場合：現在、ネットワーク端末は全て発呼側番号表示機能があり、コールイベントにおいて被呼側に発呼側番号を提供する。しかし、被呼側にとって、発呼側番号を取得するだけではユーザのニーズに応えることが十分足りるものではない。本発明は、エンハンスド型発呼側情報提供方式を提供し、発呼側番号の制限を大きく突破した。上記のデータ同時実行取得モードに合わせて、端末にコールイベントが発生する際に、被呼側に発呼側情報、発呼側マルチメディアイメージ、発呼側設定のその他のマルチメディア内容、発呼側状態および発呼側の複数種類の個人情報などの内容を提供する。提供される内容を発呼側の状態に関連付けることができる。
【０１２８】
発呼側から説明する場合：現在のネットワークが発呼側に提供できる被呼側状態は、音声ガイダンスの多忙中、接続待ちまたは呼び出し待ちなどの情報および着信メロディー業務だけである。しかし、発呼側にとって、このような情報提供も十分足りるものではない。本発明は、エンハンスド型被呼側情報提供方式を提供し、現在の内容制限を突破した。上記のデータ同時実行モードに合わせて、端末においてコールイベントが発生する際、発呼側に被呼側情報、被呼側マルチメディアイメージ、被呼側設定のその他のマルチメディア内容、被呼側状態および被呼側の複数種類の個人情報などの内容を提供する。提供される内容を被呼側状態に関連付けることができる。
【０１２９】
本発明は、発呼と被呼の２つの機能を同時にサポートし、発呼と被呼により、それに対応する異なる内容を提供することができる。
【０１３０】
本発明はハードウェア、ソフトウェア、ファームウェア及びそれらの組合で実現できる。この分野の当業者は、何れの適当なデータ処理システムの使用する信号媒体で設定したパソコンプログラム製品で、本発明を具現できると理解すべきである。この信号の媒体は、伝送媒体或いは機器の読み込める情報の記録メディアとすることができ、磁気媒体、光媒体或いはその他の適当な媒体を含む。記録媒体の例には、ハードディスクドライブのディスク或いはフロッピー（登録商標）ディスク、光ドライブの光ディスク、磁気テープ、及びこの分野の当業者が考えられるその他の媒体を含む。伝送媒体の例には、音声通信の利用する電話ネットワークとデジタルデータ通信ネットワーク、例えばイーサネット（登録商標）及びインターネットワークプロトコル及びインターネットを通じて通信するネットワークを含む。この分野の当業者は、適当なプログラミング装置のある何れの通信ターミナルは、プログラム製品で体現した本発明方法のステップを実行できると理解すべきである。この分野の当業者は、本明細書で記載した示範的な実施例は、通信ターミナルにインストールされ、通信ターミナルで実行するソフトウェアであるが、ファームウェア或いはハードウェアと具現する予備の実施例も本発明の範囲にあることを理解すべきである。
【０１３１】
上述の説明から、本発明の本当の原則を離れない状況で、本発明の実施方式を改定・変更できると理解すべきである。本明細書の記述は説明的なもので、限定的なものと理解できない。本発明の範囲は、付属の特許請求の範囲に制限される。
【図面の簡単な説明】
【０１３２】
【図１】本発明に基づく１つの実施例の通信システムの略図である。
【図２】本発明に基づく１つの実施例の通信方法のフローチャートである。
【図３】本発明に基づく１つの実施例の通信方法のフローチャートである。
【図４】本発明の実施例に基づく発着信画像データ提供プラットフォームの配置ブロック図である。
【図５】本発明の１つの実施例に基づく通信ターミナルのイメージである。
【図６】本発明の１つの実施例に基づく通信ターミナルで実行される処理のフローチャートである。
【符号の説明】
【０１３３】
10  通信システム
11A  通信ターミナル
11B  通信ターミナル
12  GSM通信ネットワーク
13  GPRS通信ネットワーク
14  発着信画像データ提供プラットフォーム
110  コールイベント監視装置
11l  発着信画像データ通信装置
112  発着信画像データ表示装置
113  保存装置
114  比較装置
115  更新装置
141  発着信画像データベース
142  発着信画像データ設定装置
143  発着信画像データ・リクエスト受信装置
144  発着信画像データ検索装置
145  発着信画像データ送信装置
【図１】
2008193695.tif 000003
【図２】
2008193695.tif 000004
【図３】
2008193695.tif 000005
【図４】
2008193695.tif 000006
【図５】
2008193695.tif 000007
【図６】
2008193695.tif 000008